(57)【要約】【課題】制動板による摩擦力以外の制動力によりスプールを制動することができる魚釣用リールを提供する。【解決手段】一実施形態における魚釣用リールは、釣糸が巻かれるスプールを有する魚釣用リールであって、スプール回転と連動して回転する回転部材と、この回転部材に設けられた第１の磁石と、回転部材との間に所定の隙間を設けて配置され、所定の隙間に開口する第１の凹部を有し、所定の部材に固定される固定部材と、所定の隙間に収容された磁性流体と、を備える。【選択図】図２
2014198017.tif 000002
【特許請求の範囲】
【請求項１】
釣糸が巻かれるスプールを有する魚釣用リールであって、
前記スプールの回転と連動して回転する回転部材と、
前記回転部材に設けられた第１の磁石と、
前記回転部材との間に所定の隙間を設けて配置され、当該所定の隙間に開口する第１の凹部を有し、所定の部材に固定される固定部材と、
前記所定の隙間に収容された磁性流体と、
を備える魚釣用リール。
【請求項２】
前記回転部材が有する前記第１の磁石と前記固定部材が有する前記第１の凹部との相対的な位置を調整可能な調整部材をさらに備える請求項１記載の魚釣用リール。
【請求項３】
前記調整部材は、前記回転部材が有する前記第１の磁石と前記固定部材が有する前記第１の凹部との前記スプールの回転軸方向の相対的な位置を調整可能な部材である請求項２記載の魚釣用リール。
【請求項４】
前記回転部材に設けられた第２の磁石をさらに備え、
前記第２の磁石は、前記スプールの回転軸方向における位置が前記第１の磁石と異なる請求項１ないし３いずれか記載の魚釣用リール。
【請求項５】
前記固定部材は、側壁を有する略円筒形状に形成され、
前記第１の凹部は当該側壁に形成され、
前記回転部材は、前記側壁を収容可能な略円筒形状の収容溝を有する、
請求項１ないし４いずれか記載の魚釣用リール。
【請求項６】
前記回転部材に設けられた第２の磁石をさらに備え、
前記第１及び第２の磁石は、前記スプールの回転軸方向の一方をＮ極とし他方をＳ極とするように配置され、
前記第１の磁石は、前記収容溝よりもその径方向外側に配置され、
前記第２の磁石は、当該収容溝よりもその径方向内側に配置されている、
請求項５記載の魚釣用リール。
【請求項７】
釣糸が巻かれるスプールを有する魚釣用リールであって、
所定の部材に固定された固定部材と、
前記固定部材に設けられた第１の磁石と、
前記固定部材との間に所定の隙間を設けて配置され、当該所定の隙間に開口する第１の凹部を有し、前記スプールの回転と連動して回転する回転部材と、
前記所定の隙間に収容された磁性流体と、
を備える魚釣用リール。
【請求項８】
前記固定部材が有する前記第１の磁石と前記回転部材が有する前記第１の凹部との相対的な位置を調整可能な調整部材をさらに備える請求項７記載の魚釣用リール。
【請求項９】
前記調整部材は、前記固定部材が有する前記第１の磁石と前記回転部材が有する前記第１の凹部との前記スプールの回転軸方向の相対的な位置を調整可能な部材である請求項８記載の魚釣用リール。
【請求項１０】
前記固定部材に設けられた第２の磁石をさらに備え、
前記第２の磁石は、前記スプールの回転軸方向における位置が前記第１の磁石と異なる請求項７ないし９いずれか記載の魚釣用リール。
【請求項１１】
前記回転部材は、側壁を有する略円筒形状に形成され、
前記第１の凹部は当該側壁に形成され、
前記固定部材は、前記側壁を収容可能な略円筒形状の収容溝を有する、
請求項７ないし１０いずれか記載の魚釣用リール。
【請求項１２】
前記回転部材に設けられた第２の磁石をさらに備え、
前記第１及び第２の磁石は、前記スプールの回転軸方向の一方をＮ極とし他方をＳ極とするように配置され、
前記第１の磁石は、前記収容溝よりもその径方向外側に配置され、
前記第２の磁石は、当該収容溝よりもその径方向内側に配置されている、
請求項１１記載の魚釣用リール。
【発明の詳細な説明】
【技術分野】
【０００１】
本発明は、魚釣用リールに関し、詳しくは、磁性流体を用いたドラグ機構を有する魚釣用リールに関する。
【背景技術】
【０００２】
従来より、釣糸が強く引かれたときの糸切れを防止するドラグ機構を備えた魚釣用リールが知られている。このドラグ機構は、例えば、スプールに対して制動板を押圧して静止摩擦力を作用させることにより、この静止摩擦力を超える力で魚が釣糸を引き込んだときに、スプールと制動板とが滑ってスプールが回転するようになっている（例えば、特許文献１参照）。
【先行技術文献】
【特許文献】
【０００３】
【特許文献１】特開２０１０−２５２７６０号公報
【発明の概要】
【発明が解決しようとする課題】
【０００４】
しかしながら、こうしたスプールに制動板を押圧する機構では、スプールの回転軸と制動板とが滑る際（作用する摩擦力が静止摩擦力から動摩擦力へと変化する際）にスティックスリップ現象によって異音が生じるという問題がある。また、制動板の劣化に伴ってドラグ性能が低下してしまう恐れがある。
【０００５】
そこで、本発明は、制動板による摩擦力以外の制動力によりスプールを制動することができる魚釣用リールを提供することを目的の一つとする。本発明の様々な実施形態の他の目的は、本明細書全体を参照することにより明らかとなる。
【課題を解決するための手段】
【０００６】
本発明の一実施形態に係る魚釣用リールは、釣糸が巻かれるスプールを有する魚釣用リールであって、前記スプールの回転と連動して回転する回転部材と、前記回転部材に設けられた第１の磁石と、前記回転部材との間に所定の隙間を設けて配置され、当該所定の隙間に開口する凹部を有し、所定の部材に固定される固定部材と、前記所定の隙間に収容された磁性流体と、を備える。ここで、本明細書における「凹部」には、貫通孔が含まれる。
【０００７】
本発明の他の実施形態に係る魚釣用リールは、釣糸が巻かれるスプールを有する魚釣用リールであって、所定の部材に固定された固定部材と、前記固定部材に設けられた第１の磁石と、前記固定部材との間に所定の隙間を設けて配置され、当該所定の隙間に開口する第１の凹部を有し、前記スプールの回転と連動して回転する回転部材と、を備える。
【発明の効果】
【０００８】
本発明の様々な実施形態によって、制動板による摩擦力以外の制動力によりスプールを制動することができる魚釣用リールを提供することができる。
【図面の簡単な説明】
【０００９】
【図１】本発明の一実施形態に係る魚釣用リール１０の一部を断面とした部分断面図。
【図２】一実施形態における魚釣用リール１０のスプール３０周辺の縦断面図。
【図３】図２のＡ−Ａ線に沿う横断面図。
【図４】一実施形態における固定部材３６の外観図。
【図５】一実施形態における回転部材３５の収容溝３５ａ周辺に形成される磁界の様子を模式的に示す説明図。
【図６】一実施形態における魚釣用リール１０のドラグ機構の縦断面図。
【図７】一実施形態における魚釣用リール１０のドラグ機構の縦断面図。
【図８】図７のＢ−Ｂ線に沿う横断面図。
【図９】変形例の固定部材３６Ｂの外観図。
【図１０】変形例の固定部材３６Ｃを含むドラグ機構の縦断面図。
【図１１】他の実施形態の魚釣用リール１００のスプール３０周辺の縦断面図。
【発明を実施するための形態】
【００１０】
以下、様々な実施形態を適宜図面を参照して説明する。なお、複数の図面にわたって共通する構成要素には同一の参照符号が付されている。
【００１１】
図１は、本発明の一実施形態に係る魚釣用リール１０の一部を断面とした部分断面図である。この魚釣用リール１０は、図示するように、リール本体１２と、このリール本体１２の前方に回転可能に設けられ、釣糸を案内する釣糸案内部２０ａを有するロータ２０と、このロータ２０の内側に設けられロータ２０の回転に応じて釣糸案内部２０ａを介して巻き取られた釣糸が巻かれるスプール３０とを備える。魚釣用リール１０は、リール本体１２に設けられた略Ｔ字形状の脚部１２ａを介して図示しない釣竿に取り付けられて用いられる。魚釣用リール１０は、ドラグ機構以外は、一般的なスピニングリールと同様の構成を備え得る。スピニングリールは、本発明を適用可能なリールの例に過ぎず、後述するように、本発明は、スピニングリール以外の様々な種類のリール（例えば、両軸受型リール、片軸受型リール、及び電動リール）に適用可能である。
【００１２】
リール本体１２には、一端にハンドル１４が取り付けられたハンドル軸１６が回転可能に支持されており、このハンドル軸１６にはドライブギヤ１８が取り付けられている。ハンドル軸１６は、ハンドル１４の回転操作に応じて回転するようにリール本体１２に取り付けられる。ドライブギヤ１８には、ハンドル軸１６の軸方向に対して直交する方向に延出する略円筒形状のピニオンギヤ１９が噛合している。このピニオンギヤ１９はロータ２０と一体に取り付けられている。このため、ハンドル１４の回転は、ハンドル軸１４、ドライブギヤ１８、及びピニオンギヤ１９を介してロータ２０に伝達される。
【００１３】
また、ピニオンギヤ１９にはスプール軸３１が貫通している。このスプール軸３１の後側端部（手元端）には、ドライブギヤ１８の回転に応じて動作するオシレート機構２２が連結されており、スプール軸３１の先端側にはスプール３０が取り付けられている。このオシレート機構２２の動作によってスプール軸３１及びその先端側に取り付けられたスプール３０は、リール本体１２の前後方向（ハンドル軸１６と直交する方向）に往復運動する。
【００１４】
このように、ハンドル１４の回転操作に応じてドライブギヤ１８が回転すると、ピニオンギヤ１９を介してロータ２０が回転すると共にオシレート機構２２及びスプール軸３１を介してスプール３０が往復運動するから、ロータ２０の釣糸案内部２０ａによって巻き取られる釣糸はスプール３０に軸方向に均一に巻かれる。
【００１５】
図２は、一実施形態における魚釣用リール１０のスプール３０周辺の縦断面図であり、図３は、図２のＡ−Ａ線に沿う横断面図である。図示するように、スプール軸３１には、円筒形状のスプール支持部材３２がピン止めによって固定されている。このスプール支持部材３２には、スプール３０が軸受３３ａを介してスプール軸３１を中心として回転できるように支持されている。スプール３０の前方内側には、後述する回転部材３５が、スプール３０の回転と連動して回転するように取り付けられている。また、スプール支持部材３２の前方には、後述するように、スプール軸３１と略同心に、略円筒形状の固定部材３６が固定されている。この固定部材３６は、軸受３３ｂ、３３ｃを介して回転部材３５を回転可能に支持する。
【００１６】
さらに、スプール軸３１の前側端部には、回転部材３５と固定部材３６とのスプール３０の回転軸方向（スプール軸３１の軸方向）の位置を調整するための蓋状の調整部材３７が取り付けられている。調整部材３７は、スプール軸３１に螺合しており、調整部材３７をねじ込むことにより、固定部材３６をスプール軸３１の軸方向後側に押し込むことができる。固定部材３６は、バネＳにより、スプール軸３１の前側に常時付勢されている。
【００１７】
回転部材３５は、スプール軸３１と略同心に配置され、前側に開口した略円筒形状を有する円筒部材３５ｄと、この円筒部材３５ｄの側壁部の径方向内側に配置された円環状の外側リング部材３５ｂと、この外側リング部材３５ｂの径方向内側に配置され、その外周面が外側リング部材３５ｂの内周面よりも小さくなるように構成された内側リング部材３５ｃと、を備える。この外側リング部材３５ｂの内周面と、内側リング部材３５ｃの外周面により、略円筒形状の収容溝３５ａが画定される。つまり、外側リング部材３５ｂは、収容溝３５ａの径方向外側の壁を形成し、内側リング部材３５ｃは、収容溝３５ａの径方向内側の壁を形成する。この収容溝３５ａの後端は円筒部材３５ｄにより閉塞されているが、前端側は開口している。
【００１８】
外側リング部材３５ｂ及び内部リング部材３５ｃは、鉄系の磁性体の材料から形成される。外側リング部材３５ｂには、略円環状の永久磁石３９ｂが設けられている。永久磁石３９ｂは、その内周面が収容溝３５ａに露出するように、外側リング部材３５ｂの内周面側に嵌め込まれている。また、内側リング部材３５ｃには、略円環状の２つの永久磁石３９ａ、３９ｃが設けられている。永久磁石３９ａ、３９ｃの各々は、その外周面が収容溝３５ａに露出するように、内側リング部材３５ｃの外周面側に嵌め込まれている。これらの永久磁石は、図示するように、スプール３０の回転軸方向後方から前方に向かって、永久磁石３９ａ、３９ｂ、３９ｃの順に配置されている。この永久磁石３９ａ、３９ｂ、３９ｃは、回転部材３５がスプール３０の回転に応じて回転するときに、外側リング部材３５ｂ及び内部リング部材３５ｃとともに回転するように、それぞれ対応する外側リング部材３５ｂ及び内部リング部材３５ｃに固定される。
【００１９】
固定部材３６は、非磁性体の材料から成り、略円筒状に構成されている。この固定部材３６は、スプール軸３１の周方向に延びる外壁部３６ａと、外壁部３６ａの前端から径方向内側に延びる略円板形状の底部３６ｄと、この底部３６ｄの径方向内側端部からスプール軸３１の軸方向に延びる筒状の内壁部３６ｃとを有する。外壁部３６ａには、複数の貫通孔３６ｂが形成されている。図３に示されているように、内壁部３６ｃは、位置調整部材３７の突出部３７ａに嵌め込まれており、また、内壁部３６ｃの後側端部はさらにスプール支持部材３２の前側端部に回り止め状態で軸方向移動可能に嵌め込まれている。このため、固定部材３６は、スプール支持部材３２と位置調整部材３７の突出部３７ａを介して、スプール軸３１上に、軸方向移動可能に回り止めされた状態で支持されている。
【００２０】
また、外壁部３６ａは、少なくとも貫通孔３６ｂを有する部分が回転部材３５の収容溝３５ａに隙間を保持して収容されるように配置されている。つまり、外壁部３６ａが収容溝３５ａに収容された状態において、外壁部３６ａと収容溝３５ａを画定する壁部（つまり、外側リング部材３５ｂの内周面及び内部リング部材３５ｃの外周面）との間には、後述するように磁性流体（ＭＲ流体）（図２及び図３では図示を省略した）を受け入れ可能な隙間が確保されている。ＭＲ流体は、マグネタイト等の強磁性体の微細粉末が液体中に均一に分散する複合材料であり、強い磁力が作用する環境下においても粒子の凝集や固液の分離がおこらず、磁性流体全体が強磁性を有するように挙動し、磁力に応じてせん断応力（粘度）が変化するという特徴を有する。本発明には、任意の種類のＭＲ流体を適用することができるが、オイルベースのＭＲ流体を用いるのが好ましい。こうすれば、外部から水分が浸入してＭＲ流体に付着しても、オイルベースであるＭＲ流体に混ざることがない。一方、従来の制動板による摩擦力を用いた方式では、水分の付着によって制動板等の部材が劣化してドラグ性能が低下していまう。また、例えば、特開昭６３−１６４８２８号公報に記載されているドラグ機構のように、磁力を作用させた磁性粉粒と回転板との摩擦力とを用いて制動力を作用させる方式では、同じく、水分の付着によって磁性粉粒が劣化してドラグ性能が低下してしまう。ＭＲ流体をオイルベースとすることにより、こうした水分の付着に伴う問題が生じないから、ＭＲ流体を収容する収容溝３５ａ等を密閉する必要がなくなり、製造工程が複雑化することも回避できる。
【００２１】
次に、図４を参照して、固定部材３６についてさらに説明する。図４は、一実施形態における固定部材３６の外観図である。図示するように、固定部材３６の外壁部３６ａには、スプール３０の回転軸方向略中央の位置に外周に沿って形成された複数の貫通孔３６ｂ１と、貫通孔３６ｂ１よりも回転軸方向後側の位置に外周に沿って形成された複数の貫通孔３６ｂ２とが形成されており、貫通孔３６ｂ２の方が貫通孔３６ｂ１よりも大きな開口面積（体積）で形成されている。このように、スプール３０の回転軸方向の位置に応じて異なる大きさの貫通孔とすることにより、段階的ではないスムーズな制動力の増減調節が可能となる。
【００２２】
図２に戻り、位置調整部材３７は、蓋状の本体から後方に延びると共に内周面に雌ネジを有する突出部３７ａを有する。この突出部３７ａは固定部材３６の中空部（内壁部３６ｃの径方向内側）にはめ込まれている。この突出部３７ａと、雄ネジが形成されたスプール軸３１の前側端部とが螺合している。このため、位置調整部材３７を回転させると位置調整部材３７のスプール３０の回転軸方向の位置が移動し、位置調整部材３７の蓋状の本体が当接する固定部材３６の回転軸方向の位置も移動する。よって、位置調整部材３７を回転操作することにより、固定部材３６が有する貫通孔３６ｂ１、３６ｂ２と回転部材３５が有する永久磁石３９ａ、３９ｂ、３９ｃとの、回転軸方向の相対的な位置を調整することができる。
【００２３】
回転部材３５の収容溝３５ａに収容されているＭＲ流体（Magneto Rheological Fluid）は、回転部材３５が有する永久磁石３９に吸着される。ＭＲ流体のせん断応力は、この永久磁石３９から受ける磁力の強さに応じて変化する。回転部材３５にスプール軸３１周りのトルクが作用すると、収容溝３５ａ及び貫通孔３６ｂに収容されているＭＲ流体によって回転部材３５と固定部材３６との間に、ＭＲ流体に永久磁石３９から作用する磁力の強さに応じたせん断抵抗が発生する。固定部材３６はスプール軸３１に対して回り止め固定されているので、このせん断抵抗によって、上記トルクによる回転部材３５の回転が制動される。ＭＲ流体に回転部材３５から作用するせん断力がＭＲ流体によるせん断応力を超えると、回転部材３５は共に回転することとなる。このように、魚釣用リール１０においては、ＭＲ流体のせん断応力に応じた制動力をスプール３０に対して作用させるドラグ機構が実現される。
【００２４】
ここで、一実施形態の魚釣用リール１０においてドラグ力を調整する機構について詳述する。まず、回転部材３５の収容溝３５ａ周辺に形成される磁界の様子を図５を用いて説明する。図５は、永久磁石３９によって収容溝３５ａに形成される磁界の様子を模式的に示す説明図である。回転部材３５に設けられた永久磁石３９ａ、３９ｂ、３９ｃは、前側（図５の左側）がＮ極、後側（図５の右側）がＳ極となるように配置されており、隣接する２つの磁石のうち一方の磁石が外側リング部材３５ｂに設けられ、他方の磁石が内側リング部材３５ｃに設けられている。図５において点線で示すように、収容溝３５ａにおいては、各磁石のＮ極からＳ極へと略楕円形状に複数の磁力線（磁束）が形成される。また、スプール３０の回転軸方向に隣接する磁石間の領域（永久磁石３９ａと永久磁石３９ｂ間の領域、及び、永久磁石３９ｂと永久磁石３９ｃの間の領域）においては、各磁石それぞれによって形成される方向性が同一の磁束が重複するから、その他の領域と比較して強い磁界が形成される。
【００２５】
図６は、固定部材３６の貫通孔３６ｂ１のスプール３０の回転軸方向における位置が回転部材３５の永久磁石３９ｃの位置と略同一となり、貫通孔３６ｂ２の位置が永久磁石３９ｂの位置と略同一となるように、回転部材３５と固定部材３６とのスプール３０の回転軸方向の位置が調整された場合のドラグ機構（回転部材３５及び固定部材３６）の断面図である。また、図７は、固定部材３６の貫通孔３６ｂ１のスプール３０の回転軸方向の位置が回転部材３５の永久磁石３９ｂと永久磁石３９ｃの間の位置となり、貫通孔３６ｂ２の位置が永久磁石３９ａと永久磁石３９ｂの間の位置となるように、回転部材３５と固定部材３６とのスプール３０の回転軸方向の位置が調整された場合のドラグ機構の断面図であり、図８はこの図７のＢ−Ｂ断面図である。図５を用いて説明したように、隣接する磁石間の領域には、他の領域と比較して強い磁界が形成されているから、固定部材３６の貫通孔３６ｂが隣接する磁石間の領域に位置する図７の状態の方が、図６の状態よりも、貫通孔３６ｂ内のＭＲ流体に作用する磁力が強くなる。この結果、図７の状態の方が、図６の状態よりも貫通孔３６ｂ内のＭＲ流体のせん断応力が大きくなり、スプール３０に作用する制動力も大きくなる。このように、一実施形態の魚釣用リール１０においては、固定部材３６が有する貫通孔３６ｂと回転部材３５が有する永久磁石３９との、スプール３０の回転軸方向の相対的な位置を調整することにより、スプール３０に対する制動力を調整することができる。この固定部材３６が有する貫通孔３６ｂと回転部材３５が有する永久磁石３９との相対位置の調整は、上記のように、位置調整部材３７を操作することにより行われる。
【００２６】
以上説明した一実施形態に係る魚釣用リール１０は、スプール３０の回転と連動して回転し永久磁石３９を有する回転部材３５と、回転部材３５の収容溝３５ａに収容される部分に貫通孔３６ｂが形成された外壁部３６ａを有し、スプール支持部材３２や位置調整部材３７（突出部３７ａ）を介してスプール軸３１に回り止め固定された固定部材３６と、収容溝３５ａにおける回転部材３５と固定部材３６との隙間に収容されたＭＲ流体とを備え、永久磁石３９の磁力の作用によって上昇するＭＲ流体のせん断応力に応じた制動力をスプール３０に対して作用させることができる。
【００２７】
また、固定部材３６が有する貫通孔３６ｂと回転部材３５が有する永久磁石３９との、スプール３０の回転軸方向の相対的な位置を調整することにより、ドラグ力を調整することができるから、容易にドラグ力を調整することができる。
【００２８】
一実施形態における魚釣用リール１０では、回転部材３５の外側リング部材３５ｂに略円環状の永久磁石３９ｂを有し、内側リング部材３５ｃに略円環状の２つの永久磁石３９ａ、３９ｃを有するようにしたが、永久磁石の数や配置はこれに限定されない。また、永久磁石を電磁石とすることもできる。
【００２９】
一実施形態における魚釣用リール１０では、固定部材３６の外壁部３６ａは、図４に例示したように、スプール３０の回転軸方向の位置が異なる貫通孔３６ｂ１と貫通孔３６ｂ２との大きさ（開口面積、体積）を異なるように形成したが、さらに、外周に沿って形成される複数の貫通孔の外周方向の位置に応じて貫通孔の大きさを異なるようにしてもよい。例えば、図９に例示する変形例の固定部材３６Ｂのように、スプール３０の回転軸方向の２つの位置に外周に沿って複数の貫通孔３６ｂ１、３６ｂ２をそれぞれ形成し、この複数の貫通孔３６ｂ１、３６ｂ２それぞれについて、外周上の特定の位置の貫通孔の大きさを他の貫通孔の大きさよりも大きく（図９の例では、周方向に縦長に）形成しても良い。このように、貫通孔の外周上の位置に応じて貫通孔の大きさを異なるようにすることにより、段階的ではないスムースな制動力の増減調節が可能となる。
【００３０】
一実施形態における魚釣用リール１０では、固定部材３６に貫通孔３６ｂ１、３６ｂ２を形成したが、貫通孔の数、配置は例示したものに限定されない。また、形成される貫通孔の全部又は一部を、貫通しない凹部として形成してもよい。例えば、図１０に例示する変形例の固定部材３６Ｃのように、図２等で例示した一実施形態における固定部材３６の貫通孔３６ｂ２に代えて、回転部材３５の外側リング部材３５ｂ側及び内側リング部材３５ｃ側にそれぞれ開口する２つの凹部３６ｂ３、３６ｂ４を形成してもよい。このように貫通しない凹部３６ｂ３、３６ｂ４であっても、内部に流入するＭＲ流体のせん断応力に基づくドラグ力をスプール３０に対して作用させることができる。こうすることにより、貫通孔とする場合と比較して固定部材３６の剛性を向上させることができる。
【００３１】
一実施形態における魚釣用リール１０では、永久磁石３９を回転部材３５に設けると共に貫通孔３６ｂを固定部材３６に設けたが、これとは逆に、貫通孔を回転部材に設けると共に永久磁石を固定部材に設けてもよい。例えば、本発明の他の実施形態に係る魚釣用リール１００は、図１１に示すように、スプール３０の回転と連動して回転する回転部材３５Ｄと、スプール支持部材３２及び位置調整部材３７を介してスプール軸３１に軸方向移動可能に回り止めされた状態で支持された固定部材３６Ｄとを備える。この回転部材３５Ｄには、貫通孔１３５ｂ１、１３５ｂ２が形成され、固定部材３６Ｄには、永久磁石１３９ａ、１３９ｂ、１３９ｃが設けられている。
【００３２】
より具体的には、回転部材３５Ｄは、前側に開口した略円筒形状を有する円筒部材１３５ｄと、この円筒部材１３５ｄの底部の径方向内側端部からスプール軸３１の軸方向に延びる筒状のスカート部１３５ｅと、この円筒部材１３５ｄの底部のスカート部１３５ｅから径方向に離間した位置に設けられた筒状の壁部１３５ａと、を備える。壁部１３５ａには、複数の貫通孔１３５ｂ１、１３５ｂ２が形成されている。回転部材３５Ｄは、非磁性体の材料からなる。
【００３３】
また、固定部材３６Ｄは、例えば鉄系の磁性体の材料から成り、略円筒状に構成されている。この固定部材３６Ｄは、スプール軸３１の周方向に延びる外壁部１３６ａと、外壁部１３６ａの前端から径方向内側に延びる略円板形状の底部１３６ｄと、この底部１３６ｄの径方向内側端部からスプール軸３１の軸方向に延びる筒状の内壁部１３６ｃとを有する。また、底部１３６ｄには、外壁部１３６ａと内壁部１３６ｃと略平行に延びる筒状の支持壁１３６ｆが設けられている。
【００３４】
他の実施形態において、外壁部１３６ａの径方向内側には、略円環状の永久磁石１３９ｂが設けられている。スプール軸３１の軸方向において永久磁石１３９ｂの後側には、略円環状の外側リング部材１３６ｂが設けられている。外側リング部材１３６ｂは外壁部１３６ａに嵌め込まれているため、永久磁石１３９ｂは、外壁部１３６ａの内周面に抜け止め固定される。また、支持壁１３６ｆの外周面には、略円環状の永久磁石１３９ａ、１３９ｃが設けられている。支持壁１３６ｆの外周面において、永久磁石１３９ａと永久磁石１３９ｃとの間には、略円環状の第１内側リング１３６ｅが設けられ、永久磁石１３９ｃの後側には第２内側リング１３６ｇが設けられている。このようにして、永久磁石１３９ａ及び永久磁石１３９ｃは、支持壁１３６ｆの外周面に抜け止め固定される。
【００３５】
上述した外側リング部材１３６ｂ及び永久磁石１３９ｂの内周面と、永久磁石１３９ａ、１３９ｃ、第１内側リング１３６ｅ、及び第２内側リング１３６ｇの外周面と、により、略円筒形状の収容溝１３６ｈが画定される。つまり、外側リング部材１３６ｂ及び永久磁石１３９ｂの内周面は、収容溝１３６ｈの径方向外側の壁を形成し、永久磁石１３９ａ、１３９ｃ、第１内側リング１３６ｅ、及び第２内側リング１３６ｇの外周面は、収容溝１３６ｈの径方向内側の壁を形成する。この収容溝１３６ｈの前端は底部１３６ｄにより閉塞されているが、後端は開口している。収容溝１３６ｈには、不図示のＭＲ流体が収容される。こうした構成においても、一実施形態における魚釣用リール１０と同様に、ＭＲ流体のせん断応力に応じてスプール３０に制動力を作用させることができる。
【００３６】
一実施形態における魚釣用リール１０は、一般的なスピニングリールとして機能するように構成したが、本発明を適用可能なリールの種類は特に限定されず、両軸受型リールにも適用することができる。本発明を両軸受型リールに適用する際には、例えば、回転部材３５を両軸受型リールの側板間に軸支されたスプールの回転に応じて回転するように（例えば、釣糸の繰り出しで回転するドライブギヤとして）構成し、また、固定部材３６をスプールの回転方向に対して軸方向移動可能に回り止め固定された部材（例えばハンドル軸）に固定すればよい。これ以外にも、本発明は、様々な態様で、両軸受型リールのドラグ装置に適用され得る。
【００３７】
また、本発明は、片軸受型リールにも適用することができる。例えば、実開平５−８２２８５号に記載された片軸受型リールの制動機構部を、本明細書で開示したドラグ機構で置き換えることにより、片軸受型リールにも本発明のドラグ装置を適用することができる。
【００３８】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００３９】
１０  魚釣用リール
１４  ハンドル
１６  ハンドル軸
１８  ドライブギヤ
１９  ピニオンギヤ
２０  ロータ
２２  オシレート機構
３０  スプール
３１  スプール軸
３２  スプール支持部材
３３  軸受
３５  回転部材
３５ａ  収容溝
３６  固定部材
３６ｂ  貫通孔
３７  位置調整部材
３９  永久磁石
ＭＲ  ＭＲ流体
【図１】
2014198017.tif 000003
【図２】
2014198017.tif 000004
【図３】
2014198017.tif 000005
【図４】
2014198017.tif 000006
【図５】
2014198017.tif 000007
【図６】
2014198017.tif 000008
【図７】
2014198017.tif 000009
【図８】
2014198017.tif 000010
【図９】
2014198017.tif 000011
【図１０】
2014198017.tif 000012
【図１１】
2014198017.tif 000013